(57)【要約】      （修正有）【課題】用紙束の厚さに応じて確実に綴じることが可能で、かつ製本不良を解消して高品質の冊子を作成する。【解決手段】一端部に複数の製本孔Ｓ１を貫通して形成した記録用紙Ｓを用紙束とし、複数の製本孔Ｓ１を綴じて製本する製本装置１０であり、複数の製本孔Ｓ１に対応した環状綴じ具３０を複数個備え、環状綴じ具３０の一部を、製本孔Ｓ１に挿通して係止し、製本孔Ｓ１を対応した環状綴じ具３０により綴じて製本する。環状綴じ具３０は、一対の綴じ体３０ａ，３０ｂからなり、その端部同士を係合して一体化する。一対の綴じ体３０ａ，３０ｂは、それぞれ一列に並べて配置されて１個ずつ分離可能な綴じ体ユニットＵ１，Ｕ２を構成し、一対の綴じ体３０ａ，３０ｂを、順次製本孔Ｓ１に対応して位置させ、一対の綴じ体３０ａ，３０ｂをそれぞれ押動し、製本孔Ｓ１に挿通して、一対の綴じ体３０ａ，３０ｂの端部同士を係合して一体化する。【選択図】図１
2010240967.tif 000002
【特許請求の範囲】
【請求項１】
一端部に複数の製本孔を貫通して形成した記録用紙を用紙束とし、前記複数の製本孔を綴じて製本する製本装置であり、
前記複数の製本孔に対応した環状綴じ具を複数個備え、
前記環状綴じ具の一部を、前記製本孔に挿通して係止し、
前記製本孔を対応した前記環状綴じ具により綴じて製本することを特徴とする製本装置。
【請求項２】
前記環状綴じ具は、一対の綴じ体からなり、
前記一対の綴じ体は、その端部同士を係合して一体化することを特徴とする請求項１に記載の製本装置。
【請求項３】
前記一対の綴じ体は、それぞれ一列に並べて配置されて１個ずつ分離可能な綴じ体ユニットを構成することを特徴とする請求項２に記載の製本装置。
【請求項４】
前記一対の綴じ体を、順次前記製本孔に対応して位置させ、
前記一対の綴じ体をそれぞれ押動し、
前記一対の綴じ体の一部を、前記製本孔に挿通して、
前記一対の綴じ体の端部同士を係合して一体化することを特徴とする請求項２または請求項３に記載の製本装置。
【請求項５】
収納した前記一方の綴じ体ユニットの端部に位置する１個づつの一方の綴じ体を分離して押し出す開口部を有する一方のホルダと、
前記一方のホルダ内の前記一方の綴じ体ユニットを前記開口部の方向へ付勢する一方の付勢手段と、
前記一方の綴じ体ユニットの端部に位置する一方の綴じ体を１個づつ分離して押し出す一方の押出手段と、
収納した前記他方の綴じ体ユニットの端部に位置する１個づつの他方の綴じ体を分離して押し出す開口部を有する他方のホルダと、
前記他方のホルダ内に配置され前記他方の綴じ体ユニットを前記開口部の方向へ付勢する他方の付勢手段と、
前記他方の綴じ体ユニットの端部に位置する他方の綴じ体を１個づつ分離して押し出す他方の押出手段と、
を備え、
前記一方の綴じ体ユニットの端部に位置する一方の綴じ体を１個づつ分離して押し出し、
前記他方の綴じ体ユニットの端部に位置する他方の綴じ体を１個づつ分離して押し出し、
前記一対の綴じ体の一方の端部同士を前記用紙束の複数の製本孔に挿通して係合して一体化することを特徴とする請求項４に記載の製本装置。
【発明の詳細な説明】
【技術分野】
【０００１】
この発明は、記録用紙の用紙束により冊子を製本する製本装置に関する。
【背景技術】
【０００２】
例えば、ノートやスケッチブック、さらに絵本などの冊子には、端部に製本孔を複数個連続して形成し、この製本孔にコイル状の綴じ具を、その端部から回転していきながら挿入して製本したものがある。
【０００３】
また、例えば、電子写真方式の画像形成装置は、高速性能、多機能、ネットワーク機能等を有し、大容量給紙装置、大容量スタッカを接続することにより、印刷装置としての用途が拡大している。
【０００４】
この印刷装置で印刷された印刷物の製本処理として、印刷されたシートを集積した用紙束の一端部に、例えばコ字形状の綴じ針を挿入し、両端部を内側に折り曲げることで用紙束の一端部を綴じ合わせて冊子を形成する製本処理が知られている（特許文献１）。
【先行技術文献】
【特許文献】
【０００５】
【特許文献１】特開平１０−１９８１０５号公報
【発明の概要】
【発明が解決しようとする課題】
【０００６】
ところで、製本孔にコイル状の綴じ具を、その端部から回転していきながら挿入して製本するものでは、挿入するための時間が掛かり、また正確な位置に挿入して製本することが困難である。
【０００７】
また、特許文献１に開示された製本装置では、用紙後処理装置側でコ字形状の綴じ針を挿入し、両端部を内側に折り曲げることで用紙束の一端部を綴じ合わせて冊子を形成しているために、折り曲げ不良が発生しやすく、確実に綴じ合わせることが困難であった。また、画像形成システムに用紙後処理装置を備えるものでは、用紙後処理部分で、障害が発生した場合には、再度画像記録を最初からやり直す必要がある。
【０００８】
また、記録用紙の枚数が多いい場合には、用紙束が厚くなり、その分コ字形状の綴じ針を挿入し、両端部を内側に折り曲げることが困難で、さらに折り曲げ不良が発生しやすく、用紙束の厚によっては綴じ合わせて冊子を作成することができなかった。
【０００９】
この発明は、かかる点に鑑みてなされたもので、用紙束の厚さに応じて確実に綴じることが可能で、かつ製本不良を解消して高品質の冊子を形成可能な製本装置を提供することを目的とするものである。
【課題を解決するための手段】
【００１０】
前記課題を解決し、かつ目的を達成するために、この発明は、以下のように構成した。
【００１１】
請求項１に記載の発明は、一端部に複数の製本孔を貫通して形成した記録用紙を用紙束とし、前記複数の製本孔を綴じて製本する製本装置であり、
前記複数の製本孔に対応した環状綴じ具を複数個備え、
前記環状綴じ具の一部を、前記製本孔に挿通して係止し、  前記製本孔を対応した前記環状綴じ具により綴じて製本することを特徴とする製本装置である。
【００１２】
請求項２に記載の発明は、前記環状綴じ具は、一対の綴じ体からなり、
前記一対の綴じ体は、その端部同士を係合して一体化することを特徴とする請求項１に記載の製本装置である。
【００１３】
請求項３に記載の発明は、前記一対の綴じ体は、それぞれ一列に並べて配置されて１個ずつ分離可能な綴じ体ユニットを構成することを特徴とする請求項２に記載の製本装置である。
【００１４】
請求項４に記載の発明は、前記一対の綴じ体を、順次前記製本孔に対応して位置させ、
前記一対の綴じ体をそれぞれ押動し、
前記一対の綴じ体の一部を、前記製本孔に挿通して、
前記一対の綴じ体の端部同士を係合して一体化することを特徴とする請求項２または請求項３に記載の製本装置である。
【００１５】
請求項５に記載の発明は、収納した前記一方の綴じ体ユニットの端部に位置する１個づつの一方の綴じ体を分離して押し出す開口部を有する一方のホルダと、
前記一方のホルダ内の前記一方の綴じ体ユニットを前記開口部の方向へ付勢する一方の付勢手段と、
前記一方の綴じ体ユニットの端部に位置する一方の綴じ体を１個づつ分離して押し出す一方の押出手段と、
収納した前記他方の綴じ体ユニットの端部に位置する１個づつの他方の綴じ体を分離して押し出す開口部を有する他方のホルダと、
前記他方のホルダ内に配置され前記他方の綴じ体ユニットを前記開口部の方向へ付勢する他方の付勢手段と、
前記他方の綴じ体ユニットの端部に位置する他方の綴じ体を１個づつ分離して押し出す他方の押出手段と、
を備え、
前記一方の綴じ体ユニットの端部に位置する一方の綴じ体を１個づつ分離して押し出し、
前記他方の綴じ体ユニットの端部に位置する他方の綴じ体を１個づつ分離して押し出し、
前記一対の綴じ体の一方の端部同士を前記用紙束の複数の製本孔に挿通して係合して一体化することを特徴とする請求項４に記載の製本装置である。
【発明の効果】
【００１６】
前記構成により、この発明は、以下のような効果を有する。
【００１７】
請求項１に記載の発明では、環状綴じ具の一部を、製本孔に挿通して係止し、製本孔を対応した環状綴じ具により、簡単かつ確実に綴じて製本することができ、用紙束の厚さに応じて確実に綴じることが可能で、かつ製本不良を解消して高品質の冊子を作成することが可能である。
【００１８】
請求項２に記載の発明では、環状綴じ具が、一対の綴じ体からなり、一対の綴じ体は、その端部同士を係合して簡単かつ確実に一体化することができ、折り曲げ不良等の綴じ不良も生じない。
【００１９】
請求項３に記載の発明では、一対の綴じ体は、それぞれ一列に並べて配置されて１個ずつ分離可能な綴じ体ユニットを構成することで、連続して製本孔に挿通して係止し、簡単かつ確実に綴じて製本することができる。
【００２０】
請求項４に記載の発明では、一対の綴じ体を、順次製本孔に対応して位置させ、
一対の綴じ体をそれぞれ押動し、連続して製本孔に挿通して係止し、簡単かつ確実に綴じて製本することができる。
【００２１】
請求項５に記載の発明では、一方の綴じ体ユニットの端部に位置する一方の綴じ体を１個づつ分離して押し出し、他方の綴じ体ユニットの端部に位置する他方の綴じ体を１個づつ分離して押し出し、一対の綴じ体の一方の端部同士を用紙束の複数の製本孔に挿通して係合して一体化し、用紙束の厚さに応じて確実に綴じることが可能で、かつ製本不良を解消して高品質の冊子を作成することが可能である。
【図面の簡単な説明】
【００２２】
【図１】製本装置の環状止具取付手段の構成図である。
【図２】環状止具の構成図である。
【図３】環状止具のユニットを示す図である。
【図４】画像形成装置、用紙後処理装置を備えた画像形成システムの全体構成図である。
【図５】製本処理を行う製本方法の工程図である。
【発明を実施するための形態】
【００２３】
以下、この発明の製本装置の実施の形態について説明する。この発明の実施の形態は、発明の最も好ましい形態を示すものであり、この発明はこれに限定されない。
［製本装置１０］
この実施の形態の製本装置１０を、図１乃至図３に基づいて説明する。この製本装置１０は、一端部に複数の製本孔Ｓ１を貫通して形成した記録用紙Ｓを用紙束とし、複数の製本孔Ｓ１を綴じて製本する装置である。この製本装置１０は、記録用紙Ｓの複数の製本孔Ｓ１に対応した環状綴じ具３０を複数個備え、環状綴じ具３０の一部を、製本孔Ｓ１に挿通して係止し、製本孔Ｓ１を対応した環状綴じ具３０により綴じて製本する。
【００２４】
（記録用紙Ｓ）
この記録用紙Ｓは、方形の形状であるが、大きさ形状等に特に制限はない。また、記録用紙Ｓの紙質や厚さ等にも制限はない、さらに、記録されていない白紙のものでも、記録されたものでもよい。
【００２５】
記録用紙Ｓの一端部には、複数の製本孔Ｓ１が貫通して形成されている。この複数の製本孔Ｓ１は、大きさや個数に制限がない。また、記録用紙Ｓの１枚１枚ごとに形成してもよく、また記録用紙Ｓを用紙束とし、複数の製本孔Ｓ１を一度に形成してもよい。
【００２６】
（環状綴じ具３０）
この実施の形態の環状綴じ具３０は、図２（ａ）に示すように、一対のコ字形状の綴じ体３０ａ，３０ｂからなり、この一対の綴じ体３０ａ，３０ｂは例えば金属、樹脂などで同一形状に形成され、一端部に嵌め凹部３０ａ１，３０ｂ１を有し、他端部に嵌め凸部３０ａ２，３０ｂ２を有する。この一対の綴じ体３０ａ，３０ｂは、その端部の嵌め凹部３０ａ１，３０ｂ１と嵌め凸部３０ａ２，３０ｂ２とを圧入し、端部同士を凹凸係合して一体化する。
【００２７】
環状綴じ具３０は、図２（ａ）に示す構成に限定されず、例えば、一対の綴じ体は、それぞれ形状を変えてもよいし、一方の綴じ体の端部を嵌め凹部とし、他方の綴じ体の端部を嵌め凸部としてもよい。また、凹凸係合は、圧入に限定されず、両端部を係合して一体化してもよい。また、環状綴じ具３０の両端部は、図２（ｂ）に示すように、嵌め凹部３０ａ１に円錐状の係合穴３０ａ１１を形成し、嵌め凸部３０ｂ２に円錐状の係合突起３０ｂ２２を形成し、円錐状の係合突起３０ｂ２２が円錐状の係合穴３０ａ１１に係合すると抜けないように一体化してもよい。また、環状綴じ具３０は、別体の部材を一体化するものに限定されず、図２（ｃ）に示すように、支点を中心に開閉可能な構造のものでもよい。
【００２８】
（綴じ体ユニットＵ１，Ｕ２）
この実施の形態では、図３に示すように、複数の一方のコ字形状の綴じ体３０ａを一列に並べて接着剤で接着した一方のコ字形状の綴じ体ユニットＵ１とし、複数の他方のコ字形状の綴じ体３０ｂを一列に並べて接着剤で接着した他方のコ字形状の綴じ体ユニットＵ２としているが、この一方のコ字形状の綴じ体ユニットＵ１と他方のコ字形状の綴じ体ユニットＵ２は、同じ構成であり、簡単かつ安価に製作することができる。
【００２９】
この綴じ体ユニットＵ１，Ｕ２は、コ字形状の綴じ体を接着剤で接着しているが、金属、樹脂のプレート部材に切り込みを入れて綴じ体として分離可能な状態にしたものでもよい。このように、一対の綴じ体は、それぞれ一列に並べて配置されて１個ずつ分離可能な綴じ体ユニットＵ１，Ｕ２を構成することで、連続して製本孔Ｓ１に挿通して係止し、簡単かつ確実に綴じて製本することができる。
【００３０】
（環状綴じ具取付手段１０ｆ）
この実施の形態の環状綴じ具取付手段１０ｆでは、図１に示すように、一方の綴じ体ユニットＵ１が一方のホルダ３１ａに収納され、開閉可能に設けられた蓋３２ａによって覆われている。このホルダ３１ａには、一方の綴じ体ユニットＵ１が一方の綴じ体３０ａの嵌め凹部３０ａ１と、嵌め凸部３０ａ２が記録用紙Ｓの用紙束の表側を向くように収納される。ホルダ３１ａは、一方の綴じ体ユニットＵ１の端部に位置する１個づつの一方の綴じ体３０ａを分離して押し出す開口部３１ａ１を有する。
【００３１】
一方のホルダ３１ａ内には、一方の付勢手段３３ａが配置され、この一方の付勢手段３３ａはコイルバネ３３ａ１とスライダ３３ａ２からなる。コイルバネ３３ａ１がスライダ３３ａ２を介して一方の綴じ体ユニットＵ１を開口部３１ａ１の方向へ付勢する。
【００３２】
開口部３１ａ１と対向する位置には、一方の押出手段３４ａが配置され、この一方の押出手段３４ａは押し片３４ａ１を有する。一方の押出手段３４ａは、シリンダなどによって構成される押出駆動手段３５ａによって往復動し、一方の綴じ体ユニットＵ１の端部に位置する一方の綴じ体３０ａを１個づつ分離して一方のホルダ３１ａ内から押し出す。
【００３３】
他方の綴じ体ユニットＵ２は、図１に示すように、他方のホルダ３１ｂに収納され、開閉可能に設けられた蓋３２ｂによって覆われている。このホルダ３１ｂには、他方の綴じ体ユニットＵ２が他方の綴じ体３０ｂの嵌め凹部３０ｂ１と、嵌め凸部３０ｂ２が記録用紙Ｓの用紙束の裏側を向くように収納される。ホルダ３１ａは、他方の綴じ体ユニットＵ２の端部に位置する１個づつの一方の綴じ体３０ｂを分離して押し出す開口部３１ｂ１を有する。
【００３４】
他方のホルダ３１ｂ内には、他方の付勢手段３３ｂが配置され、この他方の付勢手段３３ｂはコイルバネ３３ｂ１とスライダ３３ｂ２からなる。コイルバネ３３ｂ１がスライダ３３ｂ２を介して他方の綴じ体ユニットＵ２を開口部３１ｂ１の方向へ付勢する。
【００３５】
開口部３１ｂ１と対向する位置には、他方の押出手段３４ｂが配置され、この他方の押出手段３４ｂは押し片３４ｂ１を有する。一方の押出手段３４ｂは、シリンダなどによって構成される押出駆動手段３５ｂによって往復動し、他方の綴じ体ユニットＵ２の端部に位置する他方の綴じ体３０ｂを１個づつ分離して他方のホルダ３１ｂ内から押し出す。
【００３６】
この用紙束の一端部を綴じる製本処理を行う製本方法では、一方の綴じ体ユニットＵ１の端部に位置する一方の綴じ体３０ａを１個づつ分離して押し出し、他方の綴じ体ユニットＵ２の端部に位置する他方の綴じ体３０ｂを１個づつ分離して押し出し、一対の綴じ体３０ａ，３０ｂの一方の端部同士を用紙束の複数の製本孔Ｓ１に挿通して凹凸係合して一体化する。
【００３７】
このように、環状綴じ具３０の一部を、製本孔Ｓ１に挿通して係止し、製本孔Ｓ１を対応した環状綴じ具３０により、簡単かつ確実に綴じて製本することができ、用紙束の厚さに応じて確実に綴じることが可能で、かつ製本不良を解消して高品質の冊子を形成することが可能である。
【００３８】
また、環状綴じ具３０が一対のコ字形状の綴じ体３０ａ，３０ｂからなり、この一対の綴じ体３０ａ，３０ｂの一部を用紙束の複数の製本孔Ｓ１に挿通し、一対の綴じ体３０ａ，３０ｂの端部同士を係合して一体化する簡単な構造であり、かつ折り曲げ不良等の綴じ不良も生じない。
【００３９】
また、一対の綴じ体３０ａ，３０ｂは、それぞれ一列に並べて配置されて１個ずつ分離可能な綴じ体ユニットＵ１，Ｕ２を構成することで、連続して製本孔Ｓ１に挿通して係止し、簡単かつ確実に綴じて製本することができる。
【００４０】
一方の綴じ体ユニットの端部に位置する一方の綴じ体を１個づつ分離して押し出し、他方の綴じ体ユニットの端部に位置する他方の綴じ体を１個づつ分離して押し出し、一対の綴じ体の一方の端部同士を用紙束の複数の製本孔に挿通して係合して一体化し、用紙束の厚さに応じて確実に綴じることが可能で、かつ製本不良を解消して高品質の冊子を作成することが可能である。
【００４１】
次に、製本装置１０を備える画像形成システムについて、図４に基づいて説明する。この画像形成システムは、画像形成装置Ａと、用紙後処理装置Ｂを備える。
【００４２】
［画像形成装置Ａ］
この実施の形態の画像形成装置Ａは、回転する像担持体１の周囲に、帯電手段２、像露光手段３、現像手段４、転写除電手段５、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、この潜像を現像手段４により反転現像して像担持体１の表面にトナー像を形成する。
【００４３】
用紙収納手段７Ａから給紙されたシートである記録用紙Ｓは転写位置へと送られる。転写位置において転写除電手段５によりトナー像が記録用紙Ｓ上に転写された後に、記録用紙Ｓの電荷が消去されて像担持体１から分離され、搬送手段７Ｂにより搬送され、引き続き定着手段８により加熱定着され、排紙ローラ７Ｃから排出される。
【００４４】
記録用紙Ｓの両面に画像形成を行う場合には、定着手段８により加熱定着された記録用紙Ｓを、搬送路切換手段７Ｄにより通常の排紙通路から分岐し、反転搬送手段７Ｅにおいてスイッチバックして表裏反転した後、再び画像形成部を通過し、記録用紙Ｓの裏面に画像を形成し、定着手段８を経て、排紙ローラ７Ｃから装置外に排出される。排紙ローラ７Ｃから排出された記録用紙Ｓは、製本装置Ｂに送り込まれる。
【００４５】
像担持体１の画像処理後の表面は、クリーニング手段６により表面に残留している現像剤が除去され、次の画像形成に備える。      
【００４６】
画像形成装置Ａの上部には、原稿自動読取装置９が配置されている。この原稿自動読取装置９によって原稿から画像データを読み取り、像露光手段３のレーザビームによって原稿から読み取られた画像データに基づく露光走査を行って潜像を形成する。
【００４７】
［用紙後処理装置Ｂ］
図１に示すように、用紙後処理装置Ｂは、製本装置１０、冊子取出装置２０を備えている。この製本装置１０と冊子取出装置２０は、並べて配置されている。製本装置１０は、画像形成装置Ａの後段に配置され、冊子取出装置２０は、製本装置１０の後段に配置されている。  
［製本装置１０］
図１に示すように、製本装置１０は、用紙搬送手段１０ａ、排紙手段１０ｂ、製本搬送手段１０ｃ、積載手段１０ｄ、製本孔形成手段１０ｅ、環状綴じ具取付手段１０ｆを備えている。これらの各手段は、製本装置１０内のほぼ垂直方向に縦列配置されている。
（用紙搬送手段１０ａ）
用紙搬送手段１０ａに導入された記録用紙Ｓは、搬送ローラ１０ａ１，１０ａ２に挟持されて搬送され、排紙搬送または製本搬送の設定によって搬送路切換手段Ｇを作動し、この搬送路切換手段Ｇによって排紙手段１０ｂと製本搬送手段１０ｃの何れかに分岐される。
【００４８】
（排紙手段１０ｂ）
排紙搬送が設定されると、搬送路切換手段Ｇは製本搬送手段１０ｃへの搬送路を遮断し、排紙手段１０ｂへの搬送路を開放する。
【００４９】
排紙手段１０ｂの搬送路を通過する記録用紙Ｓは、搬送ローラ１０ｂ１，１０ｂ２に挟持されて上方に搬送され、装置最上部の排紙トレイ１０ｂ３上に排出、収容される。排紙トレイ１０ｂ３上には、画像形成装置Ａから排出された記録用紙Ｓを直接受容して、積載することができる。
（製本搬送手段１０ｃ）
搬送路切換手段Ｇによって分岐された記録用紙Ｓは、搬送ローラ１０ｃ１，１０ｃ２に挟持されて積載手段１０ｄの所定位置に収容される。
（積載手段１０ｄ）
積載手段１０ｄは、傾斜配置された用紙載置台１０ｄ１、移動可能な用紙後端位置決め部材１０ｄ２等を有する。用紙載置台１０ｄ１に所定枚数の記録用紙Ｓが積載され、原稿トナー画像が形成された記録用紙Ｓを順次積載して用紙束とし、製本孔形成手段１０ｅへ搬送する。
（製本孔形成手段１０ｅ）
製本孔形成手段１０ｅは、複数のパンチ１０ｅ１を有するパンチ本体１０ｅ２と、パンチ台１０ｅ３とを備える。この実施の形態では、パンチ本体１０ｅ２は、シリンダなどによって構成されるパンチ駆動手段１０ｅ４によって往復動するように構成されている。所定枚数の記録用紙Ｓをパンチ台１０ｅ３の上に載せ、パンチ駆動手段１０ｅ４によってパンチ本体１０ｅ２をパンチ台１０ｅ３の方向へ押動することで、複数のパンチ１０ｅ１によって所定枚数の記録用紙Ｓに製本孔Ｓ１を形成する。このようにして、所定枚数の記録用紙Ｓの用紙束の一端部に複数の製本孔Ｓ１を貫通して形成し、この製本孔Ｓ１を形成した所定枚数の記録用紙Ｓは、環状綴じ具取付手段１０ｆへ搬送される。
【００５０】
（環状綴じ具取付手段１０ｆ）
環状綴じ具取付手段１０ｆは、記録用紙Ｓの用紙束の複数の製本孔Ｓ１に、綴じ体ユニットＵ１，Ｕ２から綴じ体３０ａ，３０ｂを１個づつ分離して押し出すことで、環状綴じ具３０の一部を挿通して係止し、冊子を形成する。この記録用紙Ｓ、環状綴じ具３０、綴じ体ユニットＵ１，Ｕ２、環状綴じ具取付手段１０ｆについては、前記したので詳細な説明は省略する。
【００５１】
［冊子取出装置２０］
冊子取出装置２０は、環状綴じ具３０によって製本された用紙束が製本装置１０から送り込まれ、順次積載されていく。作業者は、この冊子取出装置２０から製本された用紙束を自由に取り出すことができる。
【００５２】
この用紙束の一端部を綴じる製本処理では、図５に示すように、原稿トナー画像が形成された記録用紙Ｓを順次積載して用紙束とする積載工程Ｘ１と、用紙束の一端部に複数の製本孔Ｓ１を貫通して形成する製本孔形成工程Ｘ２と、用紙束の複数の製本孔Ｓ１に環状綴じ具３０の一部を挿通して係止する環状綴じ具取付工程Ｘ３とを実行する。この環状綴じ具取付工程Ｘ３では、一方の綴じ体ユニットＵ１の端部に位置する一方の綴じ体３０ａを１個づつ分離して押し出し、他方の綴じ体ユニットＵ２の端部に位置する他方の綴じ体３０ｂを１個づつ分離して押し出し、一対の綴じ体３０ａ，３０ｂの一方の端部同士を用紙束の複数の製本孔Ｓ１に挿通して係合して一体化する。
【産業上の利用可能性】
【００５３】
この発明は、記録用紙の用紙束により冊子を製本する製本装置に適用可能であり、用紙束の厚さに応じて確実に綴じることが可能で、かつ製本不良を解消して高品質の冊子が形成可能である。
【符号の説明】
【００５４】
Ａ  画像形成装置
Ｂ  用紙後処理装置
１０  製本装置
１０ａ  用紙搬送手段
１０ｂ  排紙手段
１０ｃ  製本搬送手段
１０ｄ  積載手段
１０ｅ  製本孔形成手段
１０ｆ  環状綴じ具取付手段
２０  冊子取出装置
３０  環状綴じ具
３０ａ，３０ｂ  綴じ体
３０ａ１，３０ｂ１  嵌め凹部
３０ａ２，３０ｂ２  嵌め凸部
Ｕ１，Ｕ２  綴じ体ユニット
【図１】
2010240967.tif 000003
【図２】
2010240967.tif 000004
【図３】
2010240967.tif 000005
【図４】
2010240967.tif 000006
【図５】
2010240967.tif 000007
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
一端部に複数の製本孔を貫通して形成した記録用紙を用紙束とし、前記複数の製本孔を綴じて製本する製本装置であり、
前記複数の製本孔に対応した環状綴じ具を複数個備え、
前記環状綴じ具の一部を、前記製本孔に挿通して係止し、
前記製本孔を対応した前記環状綴じ具により綴じて製本する製本装置であり、
前記環状綴じ具は、一対の綴じ体からなり、
前記一対の綴じ体は、その端部同士を係合して一体化することを特徴とする製本装置。
【請求項２】
前記一対の綴じ体は、それぞれ一列に並べて配置されて１個ずつ分離可能な綴じ体ユニットを構成することを特徴とする請求項１に記載の製本装置。
【請求項３】
前記一対の綴じ体を、順次前記製本孔に対応して位置させ、
前記一対の綴じ体をそれぞれ押動し、
前記一対の綴じ体の一部を、前記製本孔に挿通して、
前記一対の綴じ体の端部同士を係合して一体化することを特徴とする請求項１または請求項２に記載の製本装置。
【請求項４】
収納した前記一方の綴じ体ユニットの端部に位置する１個づつの一方の綴じ体を分離して押し出す開口部を有する一方のホルダと、
前記一方のホルダ内の前記一方の綴じ体ユニットを前記開口部の方向へ付勢する一方の付勢手段と、
前記一方の綴じ体ユニットの端部に位置する一方の綴じ体を１個づつ分離して押し出す一方の押出手段と、
収納した前記他方の綴じ体ユニットの端部に位置する１個づつの他方の綴じ体を分離して押し出す開口部を有する他方のホルダと、
前記他方のホルダ内に配置され前記他方の綴じ体ユニットを前記開口部の方向へ付勢する他方の付勢手段と、
前記他方の綴じ体ユニットの端部に位置する他方の綴じ体を１個づつ分離して押し出す他方の押出手段と、
を備え、
前記一方の綴じ体ユニットの端部に位置する一方の綴じ体を１個づつ分離して押し出し、
前記他方の綴じ体ユニットの端部に位置する他方の綴じ体を１個づつ分離して押し出し、
前記一対の綴じ体の一方の端部同士を前記用紙束の複数の製本孔に挿通して係合して一体化することを特徴とする請求項３に記載の製本装置。
【手続補正２】
【補正対象書類名】明細書
【補正対象項目名】００１１
【補正方法】変更
【補正の内容】
【００１１】
請求項１に記載の発明は、一端部に複数の製本孔を貫通して形成した記録用紙を用紙束とし、前記複数の製本孔を綴じて製本する製本装置であり、
前記複数の製本孔に対応した環状綴じ具を複数個備え、
前記環状綴じ具の一部を、前記製本孔に挿通して係止し、
前記製本孔を対応した前記環状綴じ具により綴じて製本する製本装置であり、
前記環状綴じ具は、一対の綴じ体からなり、
前記一対の綴じ体は、その端部同士を係合して一体化することを特徴とする製本装置である。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２に記載の発明は、前記一対の綴じ体は、それぞれ一列に並べて配置されて１個ずつ分離可能な綴じ体ユニットを構成することを特徴とする請求項１に記載の製本装置である。
【手続補正５】
【補正対象書類名】明細書
【補正対象項目名】００１４
【補正方法】変更
【補正の内容】
【００１４】
請求項３に記載の発明は、前記一対の綴じ体を、順次前記製本孔に対応して位置させ、
前記一対の綴じ体をそれぞれ押動し、
前記一対の綴じ体の一部を、前記製本孔に挿通して、
前記一対の綴じ体の端部同士を係合して一体化することを特徴とする請求項１または請求項２に記載の製本装置である。
【手続補正６】
【補正対象書類名】明細書
【補正対象項目名】００１５
【補正方法】変更
【補正の内容】
【００１５】
請求項４に記載の発明は、収納した前記一方の綴じ体ユニットの端部に位置する１個づつの一方の綴じ体を分離して押し出す開口部を有する一方のホルダと、
前記一方のホルダ内の前記一方の綴じ体ユニットを前記開口部の方向へ付勢する一方の付勢手段と、
前記一方の綴じ体ユニットの端部に位置する一方の綴じ体を１個づつ分離して押し出す一方の押出手段と、
収納した前記他方の綴じ体ユニットの端部に位置する１個づつの他方の綴じ体を分離して押し出す開口部を有する他方のホルダと、
前記他方のホルダ内に配置され前記他方の綴じ体ユニットを前記開口部の方向へ付勢する他方の付勢手段と、
前記他方の綴じ体ユニットの端部に位置する他方の綴じ体を１個づつ分離して押し出す他方の押出手段と、
を備え、
前記一方の綴じ体ユニットの端部に位置する一方の綴じ体を１個づつ分離して押し出し、
前記他方の綴じ体ユニットの端部に位置する他方の綴じ体を１個づつ分離して押し出し、
前記一対の綴じ体の一方の端部同士を前記用紙束の複数の製本孔に挿通して係合して一体化することを特徴とする請求項３に記載の製本装置である。
【手続補正７】
【補正対象書類名】明細書
【補正対象項目名】００１７
【補正方法】変更
【補正の内容】
【００１７】
請求項１に記載の発明では、環状綴じ具の一部を、製本孔に挿通して係止し、製本孔を対応した環状綴じ具により、簡単かつ確実に綴じて製本することができ、用紙束の厚さに応じて確実に綴じることが可能で、かつ製本不良を解消して高品質の冊子を作成することが可能である。また、環状綴じ具が、一対の綴じ体からなり、一対の綴じ体は、その端部同士を係合して簡単かつ確実に一体化することができ、折り曲げ不良等の綴じ不良も生じない。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項２に記載の発明では、一対の綴じ体は、それぞれ一列に並べて配置されて１個ずつ分離可能な綴じ体ユニットを構成することで、連続して製本孔に挿通して係止し、簡単かつ確実に綴じて製本することができる。
【手続補正１０】
【補正対象書類名】明細書
【補正対象項目名】００２０
【補正方法】変更
【補正の内容】
【００２０】
請求項３に記載の発明では、一対の綴じ体を、順次製本孔に対応して位置させ、一対の綴じ体をそれぞれ押動し、連続して製本孔に挿通して係止し、簡単かつ確実に綴じて製本することができる。
【手続補正１１】
【補正対象書類名】明細書
【補正対象項目名】００２１
【補正方法】変更
【補正の内容】
【００２１】
請求項４に記載の発明では、一方の綴じ体ユニットの端部に位置する一方の綴じ体を１個づつ分離して押し出し、他方の綴じ体ユニットの端部に位置する他方の綴じ体を１個づつ分離して押し出し、一対の綴じ体の一方の端部同士を用紙束の複数の製本孔に挿通して係合して一体化し、用紙束の厚さに応じて確実に綴じることが可能で、かつ製本不良を解消して高品質の冊子を作成することが可能である。